(57)【要約】【課題】フーチングの上面を利用してバスルームユニット等の構造体を設置する汎用性を備えた構造を提供すること。【解決手段】相対位置に配置されるフーチング２０の上面側に起立部２１が設けられた布基礎１１にバスルームユニット１０等の構造体を設置する構造であり、前記フーチング２０の上面側に支持体１２を構成するスペーサ３０及び受け材３１が配置されている。受け材３１には、ブラケット４０が係合支持されており、相対するブラケット４０間に設置部４１が掛け渡されている。バスルームユニット１０の下端には、脚部材１４が設けられており、これらの脚部材１４を設置部４１に設置させることで、バスルームユニット１０を設置することができる。【選択図】図３
2008196183.tif 000002
【特許請求の範囲】
【請求項１】
略水平面内の相対位置に配置されるベースと、これらベースの上面から起立する起立部とを有する基礎を利用した構造体の設置構造において、  前記ベースの上面側に支持体を設置して当該支持体に前記構造体を支持させることを特徴とする構造体の設置構造。    
【請求項２】
相対位置に配置されるフーチングと、これらフーチングの上面から起立する起立部とを有する布基礎を利用した構造体の設置構造において、  前記フーチングの上面側に支持体を設置して当該支持体に前記構造体を支持させることを特徴とする構造体の設置構造。    
【請求項３】
前記支持体は前記起立部の側面に接する領域を備えていることを特徴とする請求項１又は２記載の構造体の設置構造。    
【請求項４】
前記支持体は前記起立部と前記構造体との間に挟まれることを特徴とする請求項１，２又は３記載の構造体の設置構造。    
【請求項５】
前記支持体は前記構造体の重量によって固定位置に保たれることを特徴とする請求項１ないし４の何れかに記載の構造体の設置構造。    
【請求項６】
前記支持体は少なくともフーチングに固定されていることを特徴とする請求項２ないし５の何れかに記載の構造体の設置構造。    
【請求項７】
相対位置に配置されるフーチングと、これらフーチングの上面から起立する起立部とを有する布基礎を利用した構造体の設置構造において、  前記フーチングの上面側に設置されて前記起立部の内面側に位置する高さ調整可能な支持体と、この支持体に支持される吊架部材とを含み、  前記吊架部材にルームユニットを支持させることを特徴とする構造体の設置構造。
【発明の詳細な説明】
【技術分野】
【０００１】
本発明は構造体の設置構造に係り、更に詳しくは、建物内におけるバスルーム、シャワールーム或いは洗面室等のルームユニットや、床材、床下収納室等を構造体とした設置構造に関する。
【背景技術】
【０００２】
一般に、バスルーム等のルームユニットのリフォーム工事等を行う場合には、ルームユニットの脚部材を支持するための土台が必要となるため、既存の浴室等を解体した後にガラ（建設廃棄物）や残土等を搬出し、その後、土間コンクリートが打設される。この場合には、ガラの廃棄処理が必要になるとともに、土間コンクリートが乾燥するまで一定の日数を要して工期が長くなり、また、土間コンクリートの下が充分な転圧ができずに沈下を招く場合がある、という不都合がある。  一方、土間コンクリートの打設を必要とせず、また、ガラ等の搬出量を抑えることができるものとして、大引等の土台に架けた架台上にルームユニットを設置する構成が知られている（特許文献１，２参照）。
ここで、特許文献１は、バスユニットの底部側に梁材を備えた脚部を設ける一方、コンクリート製布基礎の上端に角柱木材からなる土台を固定するとともに、当該土台の側面にブロック状の調整材を設け、この調整材に前記梁材の両端部に設けられた梁受け材を係止させることでバスユニットを吊持する構造が開示されている。
この一方、特許文献２は、布基礎上に配置された大引の上端面に略Ｌ字状のブラケットを係合させるとともに、これらブラケットの下部相互間に架台を掛け渡して当該架台に構造体としての浴槽を設置する構造が開示されている。
【特許文献１】特開２０００−１７９１７０号公報
【特許文献２】実開平５−４１４９３号公報
【発明の開示】
【発明が解決しようとする課題】
【０００３】
しかしながら、特許文献１に記載された構造にあっては、前記調整材が土台の側面に固定されているだけであり、バスユニットを支持することによって調整材に加えられる鉛直下向き荷重に対し十分な強度維持を図ることができない、という不都合がある。また、調整材を土台に固定する構造であるため、前記土台の長手方向若しくは延出方向に沿って調整材を複数固定する際に、各調整材の上面位置を同一平面に保つことに熟練を要する、という不都合もある。
【０００４】
また、特許文献２に記載された構造にあっては、大引の上端面にブラケットを係合させるものであるため、大引上にコンクリートブロック等が存在している場合のリフォーム工事に際しては、前記ブラケットを係合させる領域を確保できない、という不都合がある。
【０００５】
［発明の目的］
本発明は、このような不都合に着目して案出されたものであり、その目的は、土間コンクリートの打設を必要とせず、ガラ等の搬出量を抑えることができることに加え、フーチング等のベース上面側領域を利用して支持体を配置することで、鉛直下向き荷重に対する耐荷重性能を向上させることができ、また、布基礎の上端側にコンクリートブロック等が存在していても、当該コンクリートブロック等の存在が障害になることなく構造体を設置することができる構造を提供することにある。
【課題を解決するための手段】
【０００６】
前記目的を達成するため、本発明は、略水平面内の相対位置に配置されるベースと、これらベースの上面から起立する起立部とを有する基礎を利用した構造体の設置構造において、  前記ベースの上面側に支持体を設置して当該支持体に前記構造体を支持させる、という構成を採っている。      
【０００７】
また、本発明は、相対位置に配置されるフーチングと、これらフーチングの上面から起立する起立部とを有する布基礎を利用した構造体の設置構造において、  前記フーチングの上面側に支持体を設置して当該支持体に前記構造体を支持させる、という構成を採っている。      
【０００８】
本発明において、前記支持体は前記起立部の側面に接する領域を備えたものを採用することが好ましい。      
【０００９】
また、前記支持体は前記起立部と前記構造体との間に挟まれるように設けることができる。      
【００１０】
更に、前記支持体は前記構造体の重量によって固定位置に保たれるように設けるとよい。      
【００１１】
また、前記支持体は少なくともフーチングに固定される、という構成を採ることが好ましい。      
【００１２】
更に、本発明は、相対位置に配置されるフーチングと、これらフーチングの上面から起立する起立部とを有する布基礎を利用した構造体の設置構造において、  前記フーチングの上面側に設置されて前記起立部の内面側に位置する高さ調整可能な支持体と、この支持体に支持される吊架部材とを含み、  前記吊架部材にルームユニットを支持させる、という構成を採ることができる。
【発明の効果】
【００１３】
本発明によれば、ベース若しくはフーチングの上面側に支持体を設置し、当該支持体に構造体を支持させるものであるため、支持体に加えられる上方からの荷重に対して十分に耐え得る構造となり、また、ベース若しくはフーチングの上面側にコンクリートブロック等が存在していても、当該コンクリートブロック等が障害になることなく構造体を設置することができる。従って、既存の構造体を交換或いは別途の改修を行う場合における新たな構造体の設置も難なく行うことが可能となる。更に、支持体が高さ調整可能である構成を採用することにより、構造体に水平精度が要求される場合の対応を精度良く行うことができる。      
【００１４】
また、支持体が起立部の側面に接する領域を備えた構成であれば、当該領域と起立部との間を接着等の手段で付加的に固定することも可能となる。      
【００１５】
更に、支持体が起立部と構造体との間に挟まれる構成を採用した場合には、支持体と起立部とを接着等の手段で固定しなくても支持体の位置を安定して保つことができる。      
【００１６】
なお、支持体がフーチングに接着等の手段で固定される構成であれば、構造体の設置作業に際して、支持体が不用意に位置ずれしてしまうような不都合を回避することができる。
【発明を実施するための最良の形態】
【００１７】
以下、本発明の実施形態について図面を参照しながら説明する。
【００１８】
図１には、本実施形態に係る構造体の設置構造の概略正面図が示され、図２には、その側面図が示されている。これらの図において、構造体としてのバスルームユニット１０は、基礎を構成する布基礎１１に支持体１２及び吊架部材としての吊架台１３を介して支持されている。ここで、バスルームユニット１０は、その下面側に不陸調整機能を有する脚部材１４を備えて構成されている。
【００１９】
前記布基礎１１は、略水平面内において、相対位置に配置されるベースとしてのフーチング２０と、これらフーチング２０の上面から起立する起立部２１とにより構成されている。起立部２１の上端面には大引２３が配置されているとともに、当該大引２３上には壁体２４が形成されている。
【００２０】
前記フーチング２０は、図１中左右幅方向に対して同図中紙面直交方向に沿って長い板状をなし、平面視で略閉ループ状に連続する状態に設けられている。従って、フーチング２０は、平面視で四辺方向に存在することになる。また、起立部２１は、フーチング２０の幅方向寸法よりも小さい厚みであって、フーチング２０の上面中央部から立ち上がるとともに、フーチング２０の延出方向に沿って連続して閉ループをなす壁状に設けられている。なお、起立部２１は、前記延出方向に沿って所定間隔毎に起立する柱状とした構成も採用することができる。また、フーチング２０も、平面視で略閉ループ状に連続する状態に設けられる構成に限らず、平面視で三辺方向や対向する二辺方向に存在する構成、或は一辺の一部が部分的に欠落した構成も採用することができる。
【００２１】
前記支持体１２は、図３に示されるように、前記起立部２１の内面側においてフーチング２０の上面側にそれぞれ支持されるスペーサ３０と、当該スペーサ３０に支持されるとともに起立部２１の内面に略接触する部分を備えた角柱材等からなる左右一対の受け材３１とにより構成され、当該受け材３１に吊架台１３が支持される構成となっている。スペーサ３０は、平面視略方形をなす上部プレート３３と、当該上部プレート３３と略同一形状に設けられた下部プレート３４と、これら上下プレート３３，３４間に位置するとともに、上下プレート３３，３４の相互離間幅を調整して上部プレート３３のレベル調整機能を備えた公知の連結軸部材３５とにより構成されている。本実施形態では、上部プレート３３と受け材３１とは図示しないねじを介して相互に連結される一方、下部プレート３４はフーチング２０の上面に接着剤等を介して固定されている。このスペーサ３０は、図２に示されるように、フーチング２０の延出方向に沿って複数配置され、これにより、受け材３１は、その延出方向に沿う複数箇所で支持され、一定の支持強度が維持できるようになっている。
【００２２】
前記吊架台１３は、図１及び図３に示されるように、左右の受け材３１にそれぞれ係合可能に設けられたブラケット４０と、左右のブラケット４０間に掛け渡されるとともに、前記バスルームユニット１０における脚部材１４の設置面を形成する角柱材等からなる設置部４１とを含む。ブラケット４０は、略長方形状をなす鋼板等板材の一部を略９０度折り曲げた略反転Ｌ字状をなし、その短辺側が受け材３１の上端面に載置され、長辺側が受け材３１の内側面に略接するように配置される。なお、ブラケット４０は、前記短辺側が受け材３１に対してねじ等で連結され、ブラケット４０と設置部４１は、溶接等の手段を用いて一体化される。
【００２３】
次に、本実施形態における施工方法について説明する。
【００２４】
図２に示されるように、フーチング２０の上面にスペーサ３０を間隔をおいて配置するとともに、下部プレート３４をフーチング２０に接着剤で固定する。次いで、連結軸部材３５の全体長さ調整を行って上部プレート３４のレベリング、すなわち高さ調整を行う。このレベリングを完了した状態で、各上部プレート３３上に受け材３１を載置し、上部プレート３３と受け材３１とをねじで連結して一体化させる。
この後、設置部４１の両端側に位置するブラケット４０を、相対する受け材３１の上面にそれぞれ係合させるとともに、図示しないねじを用いて受け材３１に固定する。
【００２５】
このようにして吊架台１３のセットが完了した後、バスルームユニット１０の脚部材１４を設置部４１の上面に設置させて、バスルームユニット１０を設置する。この際、脚部材１４の下端面は、同一平面上に位置するように予め設定しておき、これにより、バスルームユニット１０は、その水勾配が設計位置となるように設置されることとなる。
【００２６】
従って、このような実施形態によれば、支持体１２の設置面がフーチング２０の上面であるため、上方から荷重が加えられても当該荷重に十分に耐えることができる、という効果を得る。しかも、布基礎１１を構成する起立部２１の上端面を利用しない構成であるため、大引２３の上端側にコンクリートブロック等があっても、何らの不都合なくバスルームユニット１０を設置することができる。
【００２７】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施例に対し、形状、位置若しくは方向、その他の詳細な構成において、当業者が様々な変形を加えることができるものである。
従って、上記に開示した形状、配置等は、本発明の理解を容易にするために例示的に記載したものであり、本発明を限定するものではない。
【００２８】
例えば、本発明は、連続するフーチング２０と、これに沿って延出する起立部２１とを備えた布基礎１１に限定されるものではなく、相互に間隔をおいて配置されたブロック状をなすベースと、各ベースから起立する起立部とを備えた基礎に前記支持体を配置して構造体を設置する構造としてもよい。
【００２９】
また、本発明のフーチング２０は、平面視で略閉ループ状に連続して四辺方向に存在するものに限られず、少なくとも支持体１２を設置する部分である平面視で対向する二辺に存在すれば良い。更に、本発明の構造体は、バスルームユニット１０に限らず、その他、種々の構造体を適用することができる。これを例示すれば、図４（Ａ）に示されるように、フーチング２０の上面に、角柱材からなる支持体５０を配置し、当該支持体５０の上面に断熱材５１及び表材５２からなるフロア構造体５４を設置することもできる。この際、支持体５０の下面及び外側面をフーチング２０及び起立部２１に接着剤で接着することができる。
【００３０】
また、図４（Ｂ）に示されるように、断面形状が略Ｉ型をなすスペーサ６０と、当該スペーサ６０の上面側に配置される角柱材６１とにより支持体６２を構成し、角柱材６１の上面に係合可能なフランジ面６３が閉ループ状の周壁６４の上端に連設されてなる凹部形成体６５と、当該凹部形成体６５の上部を閉塞する蓋部材６６とを含む床下収納庫６７を構造体として設置することもできる。この際、前記フランジ面６３の下面側に段部６３Ａを形成し、当該段部６３Ａにより、角柱材６１が起立部２１との間に挟まれるように設けるとよく、これにより、角柱材６１と起立部２１との接着や、スペーサ６０とフーチング２０との接着を省略しても、支持体６２の位置を安定して保つことが可能となる。
【００３１】
更に、図４（Ｃ）に示されるように、図４（Ａ）と同様の支持体７０間に位置する横架材７１と、当該横架材７１上に位置するクローゼット等のルームユニット７３とを構造体として配置することもできる。
【００３２】
要するに、本発明に係る構造体の設置構造は、起立部２１の上端を利用することなく、ベースを利用して構造体を設置する構造であれば種々の設計変更を行うことができるものである。
【図面の簡単な説明】
【００３３】
【図１】バスルームユニットを構造体とした設置構造を示す概略正面図。
【図２】前記設置構造の側面図。
【図３】図１の一部を省略した要部拡大図。
【図４】（Ａ）、（Ｂ）、（Ｃ）は、前記以外の設置構造の変形例を示す要部正面図。
【符号の説明】
【００３４】
１０…バスルームユニット（構造体）、１１…布基礎（基礎）、１２，５０，６２，７０…支持体、１３…吊架台、２０…フーチング、２１…起立部、５４…フロア構造体、６７…床下収納庫（構造体）、７３…ルームユニット（構造体）
【図１】
2008196183.tif 000003
【図２】
2008196183.tif 000004
【図３】
2008196183.tif 000005
【図４】
2008196183.tif 000006